(57)【要約】【課題】任意の好適な配置へとディスプレイ装置を移動させることが容易なテレビ会議用什器及びテレビ会議システムを提供すること。【解決手段】本発明のテレビ会議用什器は、ディスプレイ装置１０１を支持する支持装置２５を備え、支持装置２５は、ディスプレイ装置１０１に固定可能でありディスプレイ装置１０１の背面側からディスプレイ装置１０１の下を通ってディスプレイ装置１０１の前方へ延びる連結部３２と、連結部３２に設けられディスプレイ装置１０１の下方において物品を載置、保持若しくは収容可能な物品収容部であるカメラ取付部３３と、先端に連結部３２が固定されるとともに基端が被取付部材に取り付け可能であり先端と基端との間に直動軸線と回動軸線と搖動中心との少なくともいずれかを有し基端に対して先端が移動可能なディスプレイ支持部２６と、を備える。【選択図】図４
2015076739.tif 000002
【特許請求の範囲】
【請求項１】
テレビ会議システムの構成電子機器が組み込まれるテレビ会議用什器であって、
床面上に移動可能に設けられた什器本体と、
前記テレビ会議システムの構成電子機器のうち少なくとも通信機器を収容可能であり前記什器本体に固定されたケースと、
前記什器本体に取り付けられ前記テレビ会議システムの構成電子機器であるディスプレイ装置を支持するための支持装置と、
を備え、
前記支持装置は、
前記ディスプレイ装置に固定可能であり前記ディスプレイ装置の背面側から前記ディスプレイ装置の下を通って前記ディスプレイ装置の前方へ延びる連結部と、
前記連結部に設けられ前記ディスプレイ装置の下方において物品を載置、保持若しくは収容可能な物品収容部と、
先端に前記連結部が固定されるとともに基端が被取付部材に取り付け可能であり前記先端と前記基端との間に直動軸線と回動軸線と搖動中心との少なくともいずれかを有し前記基端に対して前記先端が移動可能なディスプレイ支持部と、
を備えたテレビ会議用什器。
【請求項２】
請求項１に記載のテレビ会議用什器であって、
前記物品は、前記テレビ会議システムの構成電子機器であるカメラであり、
前記物品収容部における上側の面は前記カメラを取り付け可能な取付面である
テレビ会議用什器。
【請求項３】
請求項２に記載のテレビ会議用什器であって、
前記連結部は、
前記ディスプレイ装置の表示面に向かって前記ディスプレイ装置を見たときの前記ディスプレイ装置の輪郭の外側から、前記ディスプレイ装置における前記表示面の前方へ向かって延出し前記カメラを取り付け可能なカメラ取付部と、
前記カメラ取付部と繋がっており前記ディスプレイ装置の背面に沿って延び前記ディスプレイ支持部の先端に固定された連結体部と、
前記連結体部と繋がっており前記ディスプレイ装置の背面に設けられたディスプレイアーム取付用のねじ穴に対応する複数の貫通孔が形成されたディスプレイ取付部と、
を備えたテレビ会議用什器。
【請求項４】
請求項１から３のいずれか一項に記載のテレビ会議用什器であって、
前記什器本体は、前記支持装置に連結された天板部を有し、前記天板部の上面は平面であるテレビ会議用什器。
【請求項５】
請求項４に記載のテレビ会議用什器であって、
前記什器本体は、前記天板部の下部に、前記什器本体の前後方向へ前記什器本体に対して移動可能な引出部を有し、
前記引出部には、前記テレビ会議システムの構成電子機器である集音用のマイクを載置可能である
テレビ会議用什器。
【請求項６】
請求項３に記載の支持装置であって、
前記カメラ取付部は、前記表示面に表示される画像の上下軸における前記ディスプレイ取付部の下方に配され、前記ディスプレイ装置の背面側から前記ディスプレイ装置の前記下方の端を通って前記表示面の前方側まで延びているテレビ会議用什器。
【請求項７】
請求項３に記載の支持装置であって、
前記カメラ取付部は、前記カメラ取付部において前記表示面よりも前方側にあり前記下方と反対方向に向けられたカメラ取付面を有し、
前記カメラ取付部は、前記カメラ取付面に前記カメラが取り付けられた状態で、前記ディスプレイ装置の表示面に向かって見たときの前記表示面の輪郭の内側に前記カメラの前記反対方向側の端が位置するように、前記カメラを支持する
テレビ会議用什器。
【請求項８】
請求項７に記載の支持装置であって、
前記カメラ取付部は、前記カメラ取付面に前記カメラが取り付けられた状態で、前記ディスプレイ装置の表示面に向かって見たときの前記表示面の輪郭の内側に前記カメラの光学系の一部が位置するように、前記カメラを支持する
テレビ会議用什器。
【請求項９】
請求項１から８のいずれか一項に記載のテレビ会議用什器と、
前記ディスプレイ装置と、
前記通信機器と、
前記テレビ会議システムの構成電子機器であるカメラと、
前記テレビ会議システムの構成電子機器である集音用のマイクと、
前記ディスプレイ装置、前記カメラ、前記通信機器、及び前記マイクに接続された本体機器と、
と備えたテレビ会議システム。
【発明の詳細な説明】
【技術分野】
【０００１】
本発明は、テレビ会議用什器及びテレビ会議システムに関する。
【背景技術】
【０００２】
従来、遠隔地の映像を表示するディスプレイ装置と、ディスプレイ装置の所在地において映像を取得して遠隔地に送るためのカメラとを備えたテレビ会議システムが知られている（たとえば特許文献１参照）。
【先行技術文献】
【特許文献】
【０００３】
【特許文献１】特開２０１２−０３９１９５号公報
【発明の概要】
【発明が解決しようとする課題】
【０００４】
ディスプレイ装置の使用者にとって使用しやすい位置にディスプレイ装置を移動可能とするモニターアームが知られている。テレビ会議システムにおいても、ディスプレイ装置を移動させることによりディスプレイ装置を好適な位置及び姿勢で使用することが求められる場合がある。しかしながら、特許文献１に開示された技術では、モニターアームによってディスプレイ装置を移動させる場合には、ディスプレイ装置に手を添えてディスプレイ装置を移動させる必要があった。
【０００５】
本発明は、上述した事情に鑑みてなされたものであって、その目的は、任意の好適な配置へとディスプレイ装置を移動させることが容易なテレビ会議用什器及びテレビ会議システムを提供することである。
【課題を解決するための手段】
【０００６】
本発明の一態様は、テレビ会議システムの構成電子機器が組み込まれるテレビ会議用什器であって、床面上に移動可能に設けられた什器本体と、前記テレビ会議システムの構成電子機器のうち少なくとも通信機器を収容可能であり前記什器本体に固定されたケースと、前記什器本体に取り付けられ前記テレビ会議システムの構成電子機器であるディスプレイ装置を支持するための支持装置と、を備え、前記支持装置は、前記ディスプレイ装置に固定可能であり前記ディスプレイ装置の背面側から前記ディスプレイ装置の下を通って前記ディスプレイ装置の前方へ延びる連結部と、前記連結部に設けられ前記ディスプレイ装置の下方において物品を載置、保持若しくは収容可能な物品収容部と、先端に前記連結部が固定されるとともに基端が被取付部材に取り付け可能であり前記先端と前記基端との間に直動軸線と回動軸線と搖動中心との少なくともいずれかを有し前記基端に対して前記先端が移動可能なディスプレイ支持部と、を備えたテレビ会議用什器である。
【０００７】
前記物品は、前記テレビ会議システムの構成電子機器であるカメラであり、前記物品収容部における上側の面は前記カメラを取り付け可能な取付面であってよい。
【０００８】
前記連結部は、前記ディスプレイ装置の表示面に向かって前記ディスプレイ装置を見たときの前記ディスプレイ装置の輪郭の外側から、前記ディスプレイ装置における前記表示面の前方へ向かって延出し前記カメラを取り付け可能なカメラ取付部と、前記カメラ取付部と繋がっており前記ディスプレイ装置の背面に沿って延び前記ディスプレイ支持部の先端に固定された連結体部と、前記連結体部と繋がっており前記ディスプレイ装置の背面に設けられたディスプレイアーム取付用のねじ穴に対応する複数の貫通孔が形成されたディスプレイ取付部と、を備えていてよい。
【０００９】
前記什器本体は、前記支持装置に連結された天板部を有し、前記天板部の上面は平面であってよい。
【００１０】
前記什器本体は、前記天板部の下部に、前記什器本体の前後方向へ前記什器本体に対して移動可能な引出部を有し、前記引出部には、前記テレビ会議システムの構成電子機器である集音用のマイクを載置可能であってよい。
【００１１】
前記カメラ取付部は、前記表示面に表示される画像の上下軸における前記ディスプレイ取付部の下方に配され、前記ディスプレイ装置の背面側から前記ディスプレイ装置の前記下方の端を通って前記表示面の前方側まで延びていてよい。
【００１２】
前記カメラ取付部は、前記カメラ取付部において前記表示面よりも前方側にあり前記下方と反対方向に向けられたカメラ取付面を有し、前記カメラ取付部は、前記カメラ取付面に前記カメラが取り付けられた状態で、前記ディスプレイ装置の表示面に向かって見たときの前記表示面の輪郭の内側に前記カメラの前記反対方向側の端が位置するように、前記カメラを支持していてよい。
【００１３】
前記カメラ取付部は、前記カメラ取付面に前記カメラが取り付けられた状態で、前記ディスプレイ装置の表示面に向かって見たときの前記表示面の輪郭の内側に前記カメラの光学系の一部が位置するように、前記カメラを支持していてよい。
【００１４】
本発明の別の態様は、上記態様のテレビ会議用什器と、前記ディスプレイ装置と、前記通信機器と、前記テレビ会議システムの構成電子機器であるカメラと、前記テレビ会議システムの構成電子機器である集音用のマイクと、前記ディスプレイ装置、前記カメラ、前記通信機器、及び前記マイクに接続された本体機器と、と備えたテレビ会議システムである。
【発明の効果】
【００１５】
本発明によれば、任意の好適な配置へとディスプレイ装置を移動させることが容易なテレビ会議用什器及びテレビ会議システムを提供することができる。
【図面の簡単な説明】
【００１６】
【図１】本発明の一実施形態におけるテレビ会議用什器及びテレビ会議システムの全体図である。
【図２】同テレビ会議用什器の正面図である。
【図３】同テレビ会議用什器の側面図である。
【図４】図３の拡大図である。
【図５】同テレビ会議用什器の平面図である。
【図６】同テレビ会議用什器の背面図である。
【発明を実施するための形態】
【００１７】
本発明の一実施形態のテレビ会議用什器及びテレビ会議システムについて説明する。図１は、本実施形態におけるテレビ会議用什器及びテレビ会議システムの全体図である。図２は、同テレビ会議用什器の正面図である。図３は、同テレビ会議用什器の側面図である。図４は、図３の拡大図である。図５は、同テレビ会議用什器の平面図である。図６は、同テレビ会議用什器の背面図である。
【００１８】
図１に示すように、本実施形態のテレビ会議システム１００は、テレビ会議用什器１と、テレビ会議システム１００の構成電子機器であるディスプレイ装置１０１、カメラ１０３、マイク１０４、及びコンピューター１０５を備える。コンピューター１０５は、少なくとも、ディスプレイ装置１０１及びカメラ１０３に接続される本体機器と、映像や音声を伝送するための通信機器とを備える。
テレビ会議用什器１は、ケース２と、ケース２が固定された什器本体５と、什器本体５に取り付けられテレビ会議システム１００のディスプレイ装置１０１及びカメラ１０３が共に支持された支持装置２５とを備える。
【００１９】
ケース２は、たとえばコンピューター１０５等を収容するための什器である。ケース２は、什器本体５の脚部１４に連結可能な筐体部３と、筐体部３に連結された蓋部４とを有する。
【００２０】
図１及び図２に示すように、什器本体５は、テレビ会議用什器１のユーザー等の作業台として利用可能な平板状の天板部６と、天板部６の下面に固定された脚部１４と、物品等を収容可能な引出部２１とを有する。
【００２１】
天板部６は、天板部６の上面であり水平に延びる作業平面７と、天板部６の前部に配された机移動用ハンドル部８と、天板部６の後端近傍において天板部６上の物の落下を防止するガード部１１とを有する。
【００２２】
机移動用ハンドル部８は、天板部６の前部において天板部６から前方に離間して水平方向に直線状に延びる棒状部９と、棒状部９の中心軸線方向の両端から天板部６へ向かって延び天板部６の下面に固定された延出部１０とを有する。
【００２３】
ガード部１１は、天板部６の上面から上方向に離間した位置において、天板部６の後端に沿って水平方向に延び天板部６の後端における左右端から天板部６の前方へ向かって所定長さだけ延びるように屈曲する棒部材１２と、この棒部材１２が天板部６の上方に天板部６から離間した状態で天板部６を支持するように天板部６に固定されたアタッチメント１３とを有する。アタッチメント１３は、少なくとも、棒部材１２の両端と、天板部６の後端における棒部材１２の中間部とにおいて、棒部材１２に固定されている。
【００２４】
脚部１４は、天板部６の下面から下方に延びる一対の脚本体部１５，１６と、一対の脚本体部１５，１６の各々の下端において天板部６の前後方向に延びる水平脚部１８と、水平脚部１８の前後端の各々に固定されたキャスター部１９と、各脚本体部１５，１６の下部において一対の脚本体部１５，１６を連結する梁部２０とを有する。
【００２５】
一対の脚本体部１５，１６において互いに向かい合わされた面には、垂直方向に延びるスリットが形成されている（図１参照）。一対の脚本体部１５，１６に形成されたスリットは、ケース２と一対の脚本体部１５，１６とを連結するための連結ブラケットを取り付けることができるようになっている。すなわち、本実施形態では、一対の脚本体部１５，１６とケース２とは、一対の脚本体部１５，１６のスリットに取り付けられた連結ブラケットを介して連結されている。
【００２６】
また、本実施形態では、ケース２を取り付けるための連結ブラケットと同様にスリットに取り付け可能なブラケットを介して、引出部２１が一対の脚本体部１５，１６に連結されている。
【００２７】
梁部２０にはケース２が載置され、梁部２０とケース２とは連結される。
【００２８】
図２及び図３に示すように、一対の脚部１４に連結される引出部２１は、ブラケットを介して一対の脚本体部１５，１６に固定され天板部６の前後方向に延びる一対のレール２２と、一対のレール２２に連結され一対のレール２２に沿って天板部６の前後方向に進退可能な第一の物品収容部であるトレー２３とを有する。トレー２３の前端部には、トレー２３を引き出すときにユーザーがトレー２３を掴みやすくするための取手部２４が、水平方向に延ばして設けられている。
本実施形態では、トレー２３には、テレビ会議システム１００に接続されるマイク１０４が置かれている。なお、トレー２３に置くことができる物はマイク１０４には限られない。
【００２９】
図１に示すように、支持装置２５は、テレビ会議システム１００のディスプレイ装置１０１とカメラ１０３とを共に支持するための装置である。
支持装置２５は、天板部６の上面から上方へ延びるように天板部６に基端が取り付けられたディスプレイ支持部２６と、ディスプレイ支持部２６の先端に固定されテレビ会議システム１００のカメラ１０３を取り付け可能且つテレビ会議システム１００のディスプレイ装置１０１を固定可能な連結部３２とを備える。
【００３０】
ディスプレイ支持部２６は、先端と基端との間に１以上の関節を有する。すなわち、本実施形態のディスプレイ支持部２６は、先端と基端との間に、直動軸線と回動軸線と搖動中心との少なくともいずれかを有する。このため、ディスプレイ支持部２６の先端はディスプレイ支持部２６の基端に対して移動可能である。
ディスプレイ支持部２６の具体的な一例としては、図３及び図４に示すように、ディスプレイ支持部２６は、ディスプレイ支持部２６を天板部６に連結するための連結具２７と、連結具２７に連結され天板部６から鉛直上方へ延びさらに鉛直軸に対して傾斜してさらに上方へ延びるように屈曲された棒状形状を有し天板部６に対して鉛直軸回りに回転可能な基端アーム２８と、基端アーム２８の上端に連結され基端アーム２８の上端において水平軸回りに基端アーム２８に対して回動可能な平行リンク部２９と、平行リンク部２９における基端アーム２８と反対側の端に連結され平行リンク部２９に対して鉛直軸回りに回動可能な回動関節部３０と、回動関節部３０に対して表示面１０２の法線回りに回動可能に回動関節部３０に連結された固定ブラケット３１とを有する。固定ブラケット３１は、後述する連結体部３５に固定される。
【００３１】
図１，図４及び図５に示す連結部３２は、ディスプレイ装置１０１の表示面１０２の外周部の一部に前記カメラ１０３が位置するように前記カメラ１０３を取り付け可能でディスプレイ装置１０１に固定可能である
連結部３２は、カメラ１０３を取り付け可能なカメラ取付部３３と、連結体部３５と、ディスプレイ装置１０１を固定可能なディスプレイ取付部３８とを有する。
【００３２】
カメラ取付部３３は、ディスプレイ装置１０１をその表示面１０２に向かって見たときのディスプレイ装置１０１の輪郭の外側から、ディスプレイ装置１０１における表示面１０２の前方へ向かって延出された部材である。本実施形態では、カメラ取付部３３は、ディスプレイ装置１０１の輪郭をなす４辺のうちディスプレイ装置１０１の下端にある部分に配されている。
なお、本実施形態では、ディスプレイ装置１０１の下端側は、ディスプレイ装置１０１の表示面１０２に表示される画像における下端と一致する。すなわち、本実施形態におけるカメラ取付部３３は、表示面１０２に表示される画像の上下軸におけるディスプレイ取付部３８の下方に配され、前記ディスプレイ装置１０１の背面側から前記ディスプレイ装置１０１の前記下方の端を通って前記表示面１０２の前方側まで延びていてよい。
【００３３】
カメラ取付部３３において、表示面１０２よりも前方側にあり表示面１０２の上記上下軸における上方向に向けられた面は、カメラ１０３を取り付けるための取付面３４となっている。カメラ取付部３３は、取付面３４にカメラ１０３が取り付けられた状態で、ディスプレイ装置１０１の表示面１０２に向かって見たときの表示面１０２の輪郭の内側にカメラ１０３の上端が位置するように、カメラ１０３を支持する。すなわち、本実施形態において、カメラ取付部３３は、カメラ１０３の一部が表示面１０２の輪郭の内側領域に入り込む程度に表示面１０２に近接した状態でカメラ１０３を支持している。特に、本実施形態では、カメラ１０３の光学系の一部が表示面１０２の輪郭の内側領域に入り込む程度に表示面１０２に近接した状態でカメラ１０３を支持している。このため、本実施形態では、表示面１０２に向かって話しかけるユーザーの目線は、ユーザーがカメラ１０３に向かって話しかける場合の目線に近い状態となる。
【００３４】
なお、カメラ取付部３３は、カメラ１０３を表示面１０２に対して上下に移動させる移動手段を有していてもよい。当該移動手段は、カメラ１０３の背後に隠れてしまう表示面１０２上の領域の大きさを調整するために利用できる。
【００３５】
なお、カメラ取付部３３に取り付け可能な取付対象物は必ずしもカメラ１０３でなくてもよい。たとえば、ディスプレイ装置１０１あるいはテレビ会議システム１００を操作するためのリモコンがこれら装置あるいはシステムに付属している場合に、リモコン置き場としてカメラ取付部３３が利用されてもよい。すなわち、カメラ取付部３３は、物品を載置可能な第二の物品収容部である。
【００３６】
連結体部３５は、カメラ取付部３３と繋がっており、ディスプレイ装置１０１の背面に沿って上方へ延び、ディスプレイ支持部２６の先端の固定ブラケット３１に固定されている。図６に示すように、連結体部３５は、ディスプレイ取付部３８が間に位置するように離間して配された一対の枠体３６と、一対の枠体３６を繋ぐように一対の枠体３６の各々に固定された平板部３７とを有する。
【００３７】
図４に示すように、ディスプレイ取付部３８は、連結体部３５における平板部３７に設けられており、連結体部３５と繋がっている。ディスプレイ取付部３８には、ディスプレイ装置１０１の背面に設けられたディスプレイアーム取付用のねじ穴に対応する複数の貫通孔３９が形成されている。本実施形態では、ディスプレイ取付部３８は、ＶＥＳＡ（Ｖｉｄｅｏ Ｅｌｅｃｔｒｏｎｉｃｓ Ｓｔａｎｄａｒｄｓ Ａｓｓｏｃｉａｔｉｏｎ）にて制定されたＶＥＳＡ ＦＰＭＰＭＩ Ｓｔａｎｄａｒｄに適合した位置及び寸法のねじ穴に対応して、少なくとも４つの貫通孔３９が形成されている。なお、ディスプレイ取付部３８に取り付けられる対象となるディスプレイ装置１０１がＶＥＳＡマウント以外の規格に基づくマウント方法に適合している場合には、ディスプレイ取付部３８に好適な貫通孔を適宜設けることもできる。
【００３８】
次に、本実施形態のテレビ会議用什器１の作用について、支持装置２５の作用を中心に説明する。本実施形態では、ディスプレイ取付部３８、連結体部３５、及びカメラ取付部３３は、一体的に構成されており、カメラ取付部３３において、ディスプレイ装置１０１の輪郭の一辺に沿う方向に延びる直線部分は、ユーザーによって把持されるハンドルとして利用できる。すなわち、ユーザーがカメラ取付部３３のハンドル部分を移動させることにより、カメラ１０３とディスプレイ装置１０１とは一体的に移動する。
【００３９】
このため、カメラ１０３とディスプレイ装置１０１との相対位置は常に一定であり、表示面１０２に向かって話しかけるユーザーの目線が、ユーザーがカメラ１０３に向かって話しかける場合の目線に近い状態となる位置関係は、ユーザーによるハンドル部分の移動に関係なく維持される。
【００４０】
本実施形態のテレビ会議用什器１は、ディスプレイ装置１０１の表示面１０２に向かって会話する発話者の映像がカメラ１０３に取得されるとき、発話者の目線がほぼカメラ１０３に向けられた状態となる。その結果、カメラ１０３によって取得された映像は、本実施形態のテレビ会議システム１００に接続された相手方となる映像伝送先において、テレビ会議における会話として目線に違和感の少ない状態で表示される。
【００４１】
さらに、ディスプレイ装置１０１の表示面１０２に表示される映像の上下軸における下方にカメラ１０３が位置するようにカメラ取付部３３がカメラ１０３を支持しているので、表示面１０２に向かって会話するユーザーの目線は、カメラ１０３が表示面１０２の上側に位置する場合よりも自然な状態でカメラ１０３に撮影され、映像伝送先へ伝送される。
【００４２】
また、ディスプレイ支持部２６が先端と基端との間に複数の関節を有しているので、ディスプレイ装置１０１を什器本体５に対して移動させる際の自由度が高く、たとえばベッドに寝た状態の患者と遠隔地の医師とのテレビ会議（遠隔医療）において、患者と医師との双方が、映像上の目線が合った状態で会話可能である。
【００４３】
また、ディスプレイ支持部２６が先端と基端との間に複数の関節を有しているので、什器本体５自体を移動させなくても、ディスプレイ支持部２６を変形させてディスプレイ装置１０１を移動させることができる。このため、什器本体５が入り込めない場所であってもディスプレイ装置１０１及びカメラ１０３を入り込ませることができる。
【００４４】
以上、本発明の実施形態について図面を参照して詳述したが、具体的な構成はこの実施形態に限られるものではなく、本発明の要旨を逸脱しない範囲の設計変更等も含まれる。
たとえば、カメラ取付部の構成は、上記実施形態で説明した構成には限られない。例を挙げると、カメラ取付部は、ディスプレイ支持部の先端から延びる一本の棒状をなす連結体部と、この連結体部におけるディスプレイ支持部と反対側の端に取り付けあるいは形成された平板状の取付面とを有していてもよい。
また、上記実施形態で説明した取付面３４は、平面状であってもよい。また、上記実施形態で説明した取付面３４は、カメラを取付面３４に固定するための手段を有していてもよい。
【符号の説明】
【００４５】
１  テレビ会議用什器
２  ケース
３  筐体部
４  蓋部
５  什器本体
６  天板部
７  作業平面
８  移動用ハンドル部
９  棒状部
１０  延出部
１１  ガード部
１２  棒部材
１３  アタッチメント
１４  脚部
１５，１６  一対の脚本体部
１８  水平脚部
１９  キャスター部
２０  梁部
２１  引出部（第一の物品収容部）
２２  一対のレール
２３  トレー
２４  取手部
２５  支持装置
２６  ディスプレイ支持部
２７  連結具
２８  基端アーム
２９  平行リンク部
３０  回動関節部
３１  固定ブラケット
３２  連結部
３３  カメラ取付部（第二の物品収容部）
３４  取付面
３５  連結体部
３６  一対の枠体
３７  平板部
３８  ディスプレイ取付部
３９  貫通孔
１００  テレビ会議システム
１０１  ディスプレイ装置
１０２  表示面
１０３  カメラ
１０４  マイク
１０５  コンピューター
【図１】
2015076739.tif 000003
【図２】
2015076739.tif 000004
【図３】
2015076739.tif 000005
【図４】
2015076739.tif 000006
【図５】
2015076739.tif 000007
【図６】
2015076739.tif 000008